(57)【特許請求の範囲】
【請求項１】
医療従事者により判断された患者への面会の可否を示す第一の面会可否情報および患者により判断された面会の可否を示す第二の面会可否情報を入力する入力装置と、
前記入力装置から前記第一の面会可否情報および前記第二の面会可否情報を入力し、少なくとも前記第一の面会可否情報が面会否である場合および前記第一の面会可否情報が面会可であり前記第二の面会可否情報が面会否である場合に前記患者への面会が否であると判定し、それ以外の場合に前記患者への面会が可であると判定する判定装置と、
前記判定装置に接続され、前記患者への面会を希望する面会希望者によって閲覧可能であり、前記判定装置により面会が否であると判定された場合にその旨を表示するとともに、前記患者への面会の可否が前記医療従事者により判断されたのか前記患者により判断されたのかは表示しない第一の表示装置と、
前記入力装置から前記第一の面会可否情報および前記第二の面会可否情報を入力し、医療従事者によって閲覧可能であり、前記第一の面会可否情報および前記第二の面会可否情報を表示する第二の表示装置と、
を備えたことを特徴とする面会情報表示システム。
【発明の詳細な説明】
【技術分野】
【０００１】
本発明は、病院などの施設における入院患者への面会の可否を示す面会情報を表示する面会情報表示システムに関し、特に、医療従事者の判断だけではなく、患者の意思に基づいて面会の可否を決定する面会情報表示システムに関する。
【背景技術】
【０００２】
一般的に、病院などの施設では、見舞客などの面会希望者が病院の受付窓口で看護師などの受付担当者に面会の申し出を行い、面会先の患者に対して面会ができるか否かを受付担当者が確認して、面会ができる場合には、受付担当者が面会希望者に面会を許可していた。また、面会に対する受付担当者が不在であったり、受付担当者が存在していなかったりする場合には、患者が居る病室の入口近傍に設置されている患者の氏名を記載した表示装置に患者の氏名とともに面会の可否を表示することで、面会希望者がその表示を確認して面会の可否を確認していた。
【０００３】
ところで、上述した面会の可否の判断は、患者の容態や診療予定などを医師などの医療従事者が考慮して決めていた。そのため、患者の状態が面会できる状態であると医療従事者により判断された場合には、患者が面会を許可したくないと考えていても、面会が許可されてしまうという問題があった。このような問題を解決するために、医療従事者の判断だけではなく、患者の要望も取り入れて面会の可否を判断するシステムが知られている（例えば、特許文献１など）。
【０００４】
特許文献１の記載によれば、患者の診療予定や症状に合わせた面会可否情報や患者または家族などから聞き取った要望（面会拒否したい対象者など）を登録しておき、面会人の名前や面会時間などにより面会の可否を判断して、その結果を面会可否表示部に表示するようにしている。ここで、患者に手術の予定が入っている場合には、「手術中です」といった面会可否の結果が面会可否表示部に表示され、患者などの意思で面会を拒否している場合には、「面会できません」といった面会可否の結果が面会可否表示部に表示される。面会希望者は、面会可否表示部に表示された表示を確認することで、面会の可否を確認することができる。
【先行技術文献】
【特許文献】
【０００５】
【特許文献１】特開平１１−１３４４０２号公報
【発明の概要】
【発明が解決しようとする課題】
【０００６】
しかしながら、特許文献１に記載の技術では、医療従事者が面会の可否を決定した場合と、患者などの意思で面会の可否を決定した場合とで面会可否表示部に表示される面会可否の結果が異なるため、その表示を見た面会希望者が面会できなかった理由を知ることになってしまい、面会希望者が患者に対して好ましくない感情を持つケースが生じてしまうという問題があった。
【０００７】
このような問題を解決するために、医療従事者が面会の可否を決定した場合と、患者などの意思で面会の可否を決定した場合とで面会可否表示部に表示される面会可否の結果を同一とすることが考えられる。しかしながら、この従来技術では、面会可否表示部を看護師などの医療従事者が閲覧した場合、その医療従事者は、面会の可否の決定を医療従事者が行ったのか、患者が行ったのかを区別することができなくなってしまうという問題があった。
【０００８】
本発明は、このような問題を解決するために成されたものであり、医療従事者の判断だけではなく、患者の要望も取り入れて面会の可否を判断するシステムにおいて、患者への面会が否である場合に、面会希望者には面会が否である理由を把握できないようにするとともに、医療従事者には面会が否である理由を確認できるようにすることを目的とする。
【課題を解決するための手段】
【０００９】
上述した課題を解決するために、本発明では、医療従事者により判断された患者への面会の可否を示す第一の面会可否情報と、患者により判断された面会の可否を示す第二の面会可否情報とを入力し、少なくとも第一の面会可否情報が面会否を示す場合および第一の面会可否情報が面会可であり第二の面会可否情報が面会否である場合に、面会が否であると判定するとともに、それ以外の場合に、面会が可であると判定する。そして、面会希望者によって閲覧される第一の表示装置に判定結果を表示させ、医療従事者によって閲覧される第二の表示装置に第一の面会可否情報および第二の面会可否情報を表示させるようにしている。
【発明の効果】
【００１０】
上記のように構成した本発明によれば、患者に対する面会が否である場合に、面会希望者によって閲覧される第一の表示装置には面会が否であることのみが表示されるので、第一の表示装置を見た面会希望者に対して、患者への面会が否である理由を悟らせないようにすることができる。一方、患者に対する面会が否である場合に、医療従事者によって閲覧される第二の表示装置には、医療従事者によって判断された患者への面会の可否を示す第一の面会可否情報と、患者によって判断された面会の可否を示す第二の面会可否情報とが表示されるので、第二の表示装置を見た医療従事者は、患者への面会が否であることだけではなく、その理由も確認することができる。
【図面の簡単な説明】
【００１１】
【図１】本実施形態による面会情報表示システムの構成例を示すブロック図である。
【図２】本実施形態による面会情報表示システムの判定結果の例を示す図である。
【図３】本実施形態による面会情報表示システムの表示例を示す図である。
【発明を実施するための形態】
【００１２】
以下、本発明の一実施形態を図面に基づいて説明する。図１は、本実施形態による面会情報表示システムの構成例を示すブロック図である。図１において、１は入力装置であり、ナースステーションに設置され、医師などの医療従事者により使用される。ここで、入力装置１は、パーソナルコンピューターなどにより構成されており、医療従事者がマウスなどの入力デバイスを用いて情報の入力を行う。また、入力装置１に入力される情報は、医療従事者の判断によって決定される患者に対する面会の可否を示す第一の面会可否情報と、患者の意思によって決定される面会の可否を示す第二の面会情報である。また、第一の面会可否情報、第二の面会可否情報は、ともに患者を識別するための患者識別情報（例えば、患者氏名など）に関連付けて入力装置１内の記憶装置（図示せず）に記憶される。
【００１３】
本実施形態では、医療従事者の判断によって決定される第一の面会可否情報が面会謝絶により表現されており、図２に示すように、「面会謝絶  ×」は面会可を示し、「面会謝絶  ○」は面会否を示す。また、患者の意思によって決定される第二の面会可否情報が面会許可により表現されており、図２に示すように、「面会許可  ○」は面会可を示し、「面会許可  ×」は面会否を示す。このような第一の面会可否情報および第二の面会可否情報が医療従事者によって入力装置１にて入力される。
【００１４】
具体的には、情報の入力を行う医療従事者は、患者の面会の可否を判断する医療従事者に面会の可否を確認するとともに、患者に面会の可否の要望を確認する。そして、入力装置１の入力デバイスを用いて患者を選択し、選択した患者について、第一の面会可否情報および第二の面会可否情報を入力する。すると、入力装置１は、第一の面会可否情報および第二の面会可否情報を患者識別情報に関連付けて記憶装置に記憶させる。
【００１５】
なお、本実施形態では、入力された第一の面会可否情報および第二の面会可否情報が継続して有効となっている（すなわち、次に入力されるまで情報の内容が継続している）が、これに限定されない。例えば、第一の面会可否情報として「面会謝絶  ○」が入力された場合や、第二の面会可否情報として「面会許可  ×」が入力された場合に、それらの有効期限を設定し、有効期限が経過した後は、第一の面会情報を「面会謝絶  ×」とし、第二の面会可否情報を「面会許可  ○」とするようにしても良い。
【００１６】
２は判定装置であり、入力装置１にて入力された第一の面会可否情報および第二の面会可否情報を患者識別情報とともに入力し、少なくとも第一の面会可否情報が「面会謝絶  ○」である場合、および、第一の面会可否情報が「面会謝絶  ×」であり、第二の面会可否情報が「面会許可  ×」である場合に、患者への面会が否であるとの判定する。すなわち、図２に示すように、第一の面会可否情報が「面会謝絶  ×」であり、第二の面会可否情報が「面会許可  ○」である場合には、判定装置２は、「面会可」と判定する。また、第一の面会可否情報が「面会謝絶  ×」であり、第二の面会可否情報が「面会許可  ×」である場合には、判定装置２は、「面会否」と判定する。また、第一の面会可否情報が「面会謝絶  ○」であり、第二の面会可否情報が「面会許可  ○」である場合、または、第一の面会可否情報が「面会謝絶  ○」であり、第二の面会可否情報が「面会許可  ×」である場合に、判定装置２は、「面会否」と判定する。また、判定装置２は、上記のように得られた判定結果を示す判定結果情報を後述する第一の表示装置３および第二の表示装置４へ出力する。
【００１７】
３は第一の表示装置であり、患者識別情報とともに、患者識別情報によって識別される患者への面会の可否（すなわち、判定結果情報）を表示する。また、第一の表示装置３は、患者への面会を希望する面会希望者によって閲覧可能である。本実施形態では、第一の表示装置３は、患者の居る病室の入口近傍の廊下側に設置されている。そのため、第一の表示装置３は、例えば各病室の入口近傍などに設置されることになる。ここで、判定装置２は、入力装置１から入力した患者識別情報により識別される患者が居る部屋の入口近傍に設置されている第一の表示装置３へのみ判定結果情報を出力する。これにより、面会希望者は、面会先の患者の病室の前の表示を閲覧することで、その患者への面会ができるか否かを確認することができる。
【００１８】
なお、本実施形態では、第一の表示装置３を各病室の入口近傍に第一の表示装置３を設置するようにしているが、これに限定されない。例えば、病院の入口付近の受付に第一の表示装置３を設置し、面会希望者が閲覧できるようにしても良い。この場合、判定装置２は、全ての患者に関連する第一の面会可否情報および第二の面会可否情報を第一の表示装置３へ出力することになる。
【００１９】
４は第二の表示装置であり、患者識別情報、患者識別情報に関連付けられている第一の面会可否情報および第二の面会可否情報を表示する。なお、第一の表示装置３と同様に患者識別情報によって識別される患者への面会の可否（すなわち、判定結果情報）を表示するようにしても良い。また、第二の表示装置４は、医療従事者によって閲覧可能である。そのため、第二の表示装置４は、例えばナースステーションなどに設置されることになる。なお、第二の表示装置４を無線通信可能な仕様とし、医療従事者によって携行可能としても良い。ここで、医療従事者は、第二の表示装置４によって所望の患者を選択する。すると、第二の表示装置４は、選択された患者の患者識別情報に関連付けられている第一の面会可否情報および第二の面会可否情報を表示する。これにより、医療従事者は、第二の表示装置４を閲覧することで、選択した患者への面会が可能であるか否かとともに、その理由が医師などの医療従事者によるものか患者の意思によるものかを確認することができる。
【００２０】
ここで、図３に示すように、第一の面会可否情報が「面会謝絶  ×」であり、第二の面会可否情報が「面会許可  ○」である場合には、判定装置２は、「面会可」と判定し、第一の表示装置３には、「面会できます」といった表示が行われる（なお、普通に面会できる場合に何も表示しないようにしても良い）。また、第二の表示装置４には、「面会可能／面会許可」といった表示が行われる。
【００２１】
また、同図に示すように、第一の面会可否情報が「面会謝絶  ×」であり、第二の面会可否情報が「面会許可  ×」である場合には、判定装置２は、「面会否」と判定し、第一の表示装置３には、「面会できません」といった表示が行われる。また、第二の表示装置４には、「面会可能／面会不許可」といった表示が行われる。
【００２２】
また、同図に示すように、第一の面会可否情報が「面会謝絶  ○」であり、第二の面会可否情報が「面会許可  ○」である場合には、判定装置２は、「面会否」と判定し、第一の表示装置３には、「面会できません」といった表示が行われる。また、第二の表示装置４には、「面会謝絶／面会許可」といった表示が行われる。
【００２３】
また、同図に示すように、第一の面会可否情報が「面会謝絶  ○」であり、第二の面会可否情報が「面会許可  ×」である場合には、判定装置２は、「面会否」と判定し、第一の表示装置３には、「面会できません」といった表示が行われる。また、第二の表示装置４には、「面会謝絶／面会許可」といった表示が行われる。
【００２４】
以上詳しく説明したように、本実施形態によれば、医療従事者により判断された患者への面会の可否を示す第一の面会可否情報と、患者の意思により決定された面会の可否を示す第二の面会可否情報とを入力装置１にて入力する。また、これらの情報を入力した判定装置２は、少なくとも第一の面会可否情報が「面会謝絶  ○」（面会否を示す）の場合、および、第一の面会可否情報が「面会謝絶  ×」（面会可を示す）であり、第二の面会可否情報が「面会許可  ×」（面会否を示す）である場合に患者への面会が否であると判定し、それ以外の場合に患者への面会が可であると判定する。そして、面会希望者によって閲覧される第一の表示装置３は、判定装置２による判定結果を表示し、医療従事者によって閲覧される第二の表示装置４は、第一の面会可否情報および第二の面会可否情報を表示する。
【００２５】
これにより、患者に対する面会が否であるとの判定結果が得られた場合に、面会希望者によって閲覧される第一の表示装置３には面会が否であることのみが表示されるので、第一の表示装置３を見た面会希望者に対して、患者への面会が否である理由を悟らせないようにすることができる。一方、患者に対する面会が否であるとの判定結果が得られた場合に、医療従事者によって閲覧される第二の表示装置４には、医療従事者によって判断された患者への面会の可否を示す第一の面会可否情報と、患者によって判断された面会の可否を示す第二の面会可否情報とが表示されるので、第二の表示装置４を見た医療従事者は、患者への面会が否であることだけではなく、その理由も確認することができる。
【００２６】
なお、前述した実施形態では、入力装置１、判定装置２、および、第二の表示装置４はナースステーションに設置されているが、これに限定されない。例えば、入力装置１は、医療従事者によって入力の操作を行うことができる場所であれば、どのような場所に設置されていても良いし、第二の表示装置４は、医療従事者によってのみ閲覧可能であれば、どのような場所に設置されていても良い。
【００２７】
また、前述した実施形態では、第一の表示装置３と第二の表示装置４とを別々に設けているが、これに限定されない。例えば、識別情報やパスワードなどを用いて医療従事者のみが閲覧できる情報と面会希望者が閲覧できる情報とを区別することで、両者を共通としても良い。
【００２８】
その他、上記実施形態は、本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【符号の説明】
【００２９】
１    入力装置
２    判定装置
３    第一の表示装置
４    第二の表示装置
【図１】
0005688797.tif 000002
【図２】
0005688797.tif 000003
【図３】
0005688797.tif 000004